(57)【要約】  【課題】  レセプタクルコネクタの挿入力緩和構造に関し、より詳細にはハウジング内に挿入力緩和板を配置し、プラグコネクタの挿入時に挿入力緩和板の移動によってプラグコネクタにかける端子の付勢力のタンミングを変えて挿入力を緩和する挿入力緩和構造に関する。【解決手順】  コネクタ端子と、板厚が異なり挿通孔を列設した挿入力緩和板と、上下内面または左右内面の何れかに一対のダボを形成したハウジングよりなり、ハウジングはコネクタ端子の一端を奥面で保持し、コネクタ端子の屈曲により傾斜している部分が挿通孔の縁に当接するようにコネクタ端子を挿通孔に挿通した挿入力緩和板を前記ダボ間に配置し、ハウジングに配置された挿入力緩和板はプラグコネクタが開口面から挿入されたときプラグコネクタと当接し、さらなるプラグコネクタの挿入によって押されてダボを超えて奥面の方向に移動する、よう構成する。【選択図】    図１
2007324057.tif 000002
【特許請求の範囲】
【請求項１】
レセプタクルコネクタの挿入力緩和構造であって、
一方の端部近傍にコンタクトを形成し、該コンタクトが挿入されたプラグコネクタの端子部を付勢する方向に屈曲したコネクタ端子と、
板状で長手方向に板厚が異なり、前記コネクタ端子を挿通する挿通孔を列設した挿入力緩和板と、
前記プラグコネクタを挿入する開口面を備え、上下内面または左右内面の何れか、または両方の各面の所定位置にそれぞれ一対のダボを少なくともそれぞれ一カ所に形成したハウジングとを有し、
前記ハウジングは前記コネクタ端子のコンタクトのない一端を前記開口面と対向する奥面で保持し、該コネクタ端子の前記屈曲により傾斜している部分が前記挿通孔の縁に当接するように該コネクタ端子を該挿通孔に挿通した前記挿入力緩和板を前記ダボ間に配置し、
前記ハウジングに配置された前記挿入力緩和板は、前記プラグコネクタが開口面から挿入されたとき該プラグコネクタと当接し、さらなる該プラグコネクタの挿入によって押されて前記ダボを超え、前記奥面の方向に移動する
ことを特徴とするレセプタクルコネクタの挿入力緩和構造。
【請求項２】
前記挿入力緩和板は板厚が一定で、前記挿通孔の開口形状の寸法が異なるものである
ことを特徴とする請求項１記載のレセプタクルコネクタの挿入力緩和構造。
【請求項３】
レセプタクルコネクタにおける挿入力緩和構造のコネクタを搭載したプリント基板であって、
前記コネクタは、
一方の端部近傍にコンタクトを形成し、該コンタクトが挿入されたプラグコネクタの端子部を付勢する方向に屈曲したコネクタ端子と、
板状で長手方向に板厚が異なり、前記コネクタ端子を挿通する挿通孔を列設した挿入力緩和板と、
前記プラグコネクタを挿入する開口面を備え、上下内面または左右内面の何れか、または両方の各面の所定位置にそれぞれ一対のダボを少なくともそれぞれ一カ所に形成したハウジングとを有し、
前記ハウジングは前記コネクタ端子のコンタクトのない一端を前記開口面と対向する奥面で保持し、該コネクタ端子の前記屈曲により傾斜している部分が前記挿通孔の縁に当接するように該コネクタ端子を該挿通孔に挿通した前記挿入力緩和板を前記ダボ間に配置し、
前記ハウジングに配置された前記挿入力緩和板は、前記プラグコネクタが開口面から挿入されたとき該プラグコネクタと当接し、さらなる該プラグコネクタの挿入によって押されて前記ダボを超え、前記奥面の方向に移動する
ことを特徴とする挿入力緩和構造のコネクタを搭載したプリント基板。
【請求項４】
レセプタクルコネクタにおける挿入力緩和構造のコネクタを搭載した電子機器であって、
前記コネクタは、
一方の端部近傍にコンタクトを形成し、該コンタクトが挿入されたプラグコネクタの端子部を付勢する方向に屈曲したコネクタ端子と、
板状で長手方向に板厚が異なり、前記コネクタ端子を挿通する挿通孔を列設した挿入力緩和板と、
前記プラグコネクタを挿入する開口面を備え、上下内面または左右内面の何れか、または両方の各面の所定位置にそれぞれ一対のダボを少なくともそれぞれ一カ所に形成したハウジングとを有し、
前記ハウジングは前記コネクタ端子のコンタクトのない一端を前記開口面と対向する奥面で保持し、該コネクタ端子の前記屈曲により傾斜している部分が前記挿通孔の縁に当接するように該コネクタ端子を該挿通孔に挿通した前記挿入力緩和板を前記ダボ間に配置し、
前記ハウジングに配置された前記挿入力緩和板は、前記プラグコネクタが開口面から挿入されたとき該プラグコネクタと当接し、さらなる該プラグコネクタの挿入によって押されて前記ダボを超え、前記奥面の方向に移動する
ことを特徴とする挿入力緩和構造のコネクタを搭載した電子機器。
【請求項５】
請求項１記載の挿入力緩和構造を備えたレセプタクルコネクタの挿入力緩和方法において、
プラグコネクタを前記レセプタクルコネクタに挿入し、該レセプタクルコネクタに配置された前記挿入力緩和板を移動させて前記コンタクトからの付勢力が該プラグコネクタに順次加わる
ことを特徴とするレセプタクルコネクタの挿入力緩和方法。
【発明の詳細な説明】
【技術分野】
【０００１】
レセプタクルコネクタの挿入力緩和構造に関し、より詳細にはハウジング内に挿入力緩和板を配置し、プラグコネクタの挿入時に挿入力緩和板の移動によってプラグコネクタにかける端子の押圧力のタンミングを変えて挿入力を緩和するレセプタクルコネクタの挿入力緩和構造、挿入力緩和構造のレセプタクルコネクタを搭載したプリント基板、電子機器及びとレセプタクルの挿入力緩和方法に関する。
【背景技術】
【０００２】
ベローズタイプコネクタやカードエッジコネクタは、レセプタクルコネクタのコンタクトの部分が相手側のコンタクトの端子部分と面接触により電気的接続を行う構造が取られており、図６に示すものが知られている。図６（ａ）はベローズタイプコネクタの嵌合前の状態を示すもので、左側のコネクタがレセプタクルコネクタ１００で右側がプラグコネクタ２００である。
【０００３】
レセプタクルコネクタ１００はハウジング１１０とコネクタ端子１２０から構成し、ハウジング１１０はプラグコネクタ２００が挿入される開口面１１１を持ち、その開口面１１１に対向するハウジング内部の奥面１１２にコネクタ端子１２０の一端を保持している。材質は例えばＡＢＳ樹脂等の絶縁性の成形樹脂である。コネクタ端子１２０はその一端にコンタクト１２１を形成し、嵌合時には図６（ｂ）に示すように上下のコンタクト１２１によりプラグコネクタ２００の端子部分を挟み、押圧（付勢）して面接触により電気的接続を行う。コンタクト１２１の押圧の必要性からコネクタ端子１２０は弾性を有する金属（例えば、銅合金）が用いられる。コネクタ端子１２０は一般にプレスにより打ち抜き、付勢力を発生させるため図６に示すようにプラグコンタクト２００を挟む方向（即ち、押圧する方向）に屈曲するよう加工した後にメッキが施される。特に、コンタクト１２１の部分は酸化することがなく、接触抵抗の少ない例えば金メッキを施している。
【０００４】
プラグコネクタ２００は、ハウジング２１０とハウジング２１０の挿入部２２０に設けられた端子部２２１とから構成する。端子部２２１もレセプタクルコネクタ１００の端子１２０と同様の材料と加工により成形される。
【０００５】
図６はベローズタイプのコネクタの例を示したが、カードエッジコネクタと言われるコネクタもレセプタクル１００のコンタクトはベローズ型が一般的に用いられている。この場合は、プラグコネクタ２００に相当するものがプリント基板で、端子部は銅箔をエッチングによりパターン形成し、この部分でレセプタクルコネクタ１００のコンタクト１２１と面接触して電気的接続を得る。
【０００６】
上記に示したように面接触して確実に電気的接続を得るためにコンタクト１２１はコネクタ端子１２０の材料の持つ弾性力でプラグコネクタ２００の端子部２２１を押圧する。プラグコネクタ２００の挿入においては、この押圧力を上まわる力で挿入する必要があるが、コネクタ端子１２０の数が多くなると大きな挿入力を必要とする。挿入が確実に行われない場合には電気的接続は保証されないものとなる。最悪の場合はプラグコネクタ２００がレセプタクルコネクタ１００から抜け落ちる場合もある。
【０００７】
プラグコネクタに対する挿入力を低減させる方法として、レセプタクルのコネクタハウジングにフレキシブルプリント基板を挿入するときにスライダーを介して挿入する構造が提案されている。これは、スライダーをコネクタハウジングにある程度挿入された状態でＵ字型の端子を押し広げ、その間にフレキシブルプリント基板を差し込み、さらにスライダーを挿入すると押し広げられたＵ字型の端子が元に戻り、フレキシブルプリント基板との電気的接続を行うものである（特許文献１）。
【０００８】
特許文献１の方法は、嵌合が終了した状態では、Ｕ字型の端子の弾性力がフレキシブルプリント基板の端子部分を大きな力で押圧するので電気的接続は確実なものとなり、フレキシブルプリント基板が抜けることもない。
【特許文献１】特開平１０−２５５９２６号公報
【発明の開示】
【発明が解決しようとする課題】
【０００９】
上記に述べたように、図６に示す従来のコネクタ構造でコネクタ端子の数が多い場合にはレセプタクルコネクタのコネクタ端子の押圧力（付勢力）を上まわる力でプラグコネクタを挿入する必要があり、作業性が悪いという問題があった。
【００１０】
特許文献１による方法は、Ｕ字型の端子構造に対するレセプタクルコネクタへの挿入力低減に対する提案で、ベローズ型の構造に対しては適用が困難であること。また、コネクタをプリント基板上に搭載する場合には、スライダー部分の搭載面積が必要となり実装密度を低下することが懸念される。
【００１１】
本発明は、レセプタクルコネクタに挿入力緩和板を設け低コストでプラグコネクタの挿入力の低減を図る挿入力緩和構造、挿入力緩和構造のコネクタを搭載したプリント基板及び電子機器及び挿入力緩和方法を提供することを目的とする。
【課題を解決するための手段】
【００１２】
本発明の電子部品のパッケージ構造と実装構造は、以下のように構成される。
（１）第１の発明
第１の発明は、板厚が不均一な挿入力緩和板をハウジング内に配置してプラグコネクタの挿入力の緩和を図るレセプタクルコネクタの挿入力緩和構造である。
【００１３】
このレセプタクルコネクタの挿入力緩和構造は、コネクタ端子と挿入力緩和板とハウジングとから構成される。まず、コネクタ端子は一方の端部近傍にコンタクトを形成し、そのコンタクトが挿入されたプラグコネクタの端子部を付勢する方向に屈曲したものである。即ち、コネクタ端子のコンタクトはプラグコネクタの端子部と接触し付勢されて電気的接続を行わせるため、コネクタ端子のコンタクトのない方の一端を保持し（後述する）、コンタクトに付勢力を発生させるように付勢方向に屈曲させている。挿入力緩和板は、板状で長手方向に板厚が異なり、端子を挿通する挿通孔を列設したものである。ハウジングは、プラグコネクタを挿入する開口面を備えており、ハウジング内面の上下または左右の何れか、または両方の面の所定位置にそれぞれ一対のダボを少なくとも一つ形成している。ここでプラグコネクタは、カードエッジタイプのコネクタにおいては、端子部を形成して挿入されるカードが該当し、プラグコネクタはこのカードも含むものとする。
【００１４】
そして、このハウジングはコネクタ端子のコンタクトのない一端を開口面と対向する奥面で保持し、コネクタ端子の屈曲により傾斜している部分が挿通孔の縁に当接するようにコネクタ端子を挿通孔に挿通した挿入力緩和板をダボ間に配置している。
【００１５】
ハウジングに配置された挿入力緩和板は、プラグコネクタが開口面から挿入されたときプラグコネクタと当接し、さらなるプラグコネクタの挿入によって押されてダボを超え、奥面の方向に移動する。即ち、プラグコネクタが挿入される前は挿入力緩和板はハウジング内に形成されたダボの間にあるが、プラグコネクタが挿入されて挿入力緩和板に接し、さらにプラグコネクタの挿入により挿入力緩和板は押されてダボを越え、奥面に移動するものである。
【００１６】
第１の発明の構造により、一端が保持されたコネクタ端子は挿入力緩和板を介してハウジング内にコンタクト部分が張り出した状態になっている。このとき、コンタクト部分が挿入されたプラグコネクタの端子部分を付勢するようにするため、コネクタ端子の保持した位置から屈曲してコンタクトに向けて斜めに張り出すようにしている（図６の従来例に示すように、上下にコネクタ端子がある場合に、上側のコネクタ端子のコンタクトは保持の位置より下方に斜めに張り出し、下側のコネクタ端子のコンタクトは保持の位置より上方に斜めに張り出すようにしている）。第１の発明では、コネクタ端子が板厚の異なる挿入力緩和板の挿通孔を通して張り出すとき、板厚が厚い挿通孔を通ったコネクタ端子のコンタクトの張り出し方は板厚が薄い挿通孔を通ったコンタクトの張り出し方に較べて斜めの角度が浅くなる（コネクタ端子が挿入孔の縁に当たって、ハウジング内に張り出したコネクタ端子の角度が浅くなる）。このため、プラグコネクタを挿入したとき角度が浅いコンタクトのプラグコネクタに働く付勢力は弱くなり、挿入開始時点でのプラグコネクタの挿入力は緩和されていることになる。プラグコネクタの挿入を更に進めていくと、挿入力緩和板はコネクタ端子を保持している面に向かって移動し、これにより挿入孔の縁に当たっているコネクタ端子は滑りながら角度の浅かったコネクタ端子は角度が深くなって当初の付勢力が発生するようになる。即ち、挿入力緩和板の移動に伴ってプラグコネクタに働く付勢力は異なる板厚でタイミングを変えて発生するようになる。挿入されるプラグコネクタはコンタクトを滑りながらタイミングを変えて発生する付勢力を受けるが、この力は大きなものでないので結果として挿入から嵌合が完了するまでの挿入力は緩和されることになる。
（２）第２の発明
第２の発明は、挿入力緩和板の板厚を一定とし、挿入力緩和板に形成した挿通孔の開口形状が異なる寸法であることを、特徴とするものである。
【００１７】
挿通孔の開口寸法を変えることにより、コネクタ端子の挿入孔の縁に当たる位置を変えるものである。例えば、図６に示すように上下２列にコネクタ端子を配列したとき、挿通孔の高さ方向の寸法を変えることにより、コネクタ端子が挿通孔の縁に当たる位置が異なりハウジング内に張り出す角度を変えることができる。
（３）第３の発明
第３の発明は、第１の発明である挿入力緩和のコネクタを搭載したプリント基板の発明である。コネクタの挿入力緩和構造は第１の発明と同一であるので説明は省略する。
（４）第４の発明
第４の発明は、第１の発明である挿入力緩和のコネクタを搭載した電子機器の発明である。コネクタの挿入力緩和構造は第１の発明と同一であるので説明は省略する。
（５）第５の発明
第５の発明は、第１の発明の挿入力緩和構造を備えたレセプタクルコネクタにプラグコネクタを挿入し、レセプタクルコネクタに配置された挿入力緩和板を移動させてコンタクトからの付勢力がプラグコネクタに順次加わることを特徴とする、レセプタクルコネクタの挿入力緩和方法である。
【発明の効果】
【００１８】
第１の発明により、プラグコネクタに対する挿入力を緩和し、作業性を高めるレセプタクルコネクタの提供ができる。
【００１９】
第２の発明により、第１の発明と同様のレセプタクルコネクタの提供ができる。
【００２０】
第３の発明により、挿入力緩和構造のレセプタクルコネクタを搭載したプリント基板の提供ができる。
【００２１】
第４の発明により、挿入力緩和構造のレセプタクルコネクタを搭載した電子機器の提供ができる。
【００２２】
第５の発明により、プラグコネクタに対するレセプタクルコネクタの挿入力緩和方法を提供できる。
【発明を実施するための最良の形態】
【００２３】
本発明の実施例を図１から図５を用いて説明する。
【００２４】
図１は本発明による挿入力緩和構造のレセプタクルコネクタ３００を説明する図である。レセプタクルコネクタ３００は、ハウジング３１０とコネクタ端子３２０及び挿入力緩和板３３０から構成する。ハウジング３１０はプラグコネクタが挿入される開口面３１１を有している。その開口面３１１と対向する内部の奥面３１２と外部の背面３１３との間に貫通孔を設け、この貫通孔にコネクタ端子３２０を通し保持している。また、ハウジング３１０内部の上面と下面にそれぞれ１対のダボ（ダボ３１４、３１５の一対とダボ３１６、３１７の一対）を設け、この間に挿入力緩和板３３０を配置するようにしている。
【００２５】
コネクタ端子３２０は、ハウジング３１０に保持されている側と反対の端部近傍にコンタクト３２１を備えている。図１に示すコネクタ端子３２０は、上下対象に配置されているが、奥行き（または手前）方向に列設されているものとする。またコネクタ端子３２０は、上下のコンタクト３２１の間に挿入されたプラグコネクタの端子部を挟み、その端子部を付勢（押圧）するようにハウジング３１０内部の保持箇所を過ぎた近辺から屈曲し傾斜を持たせている。そして、コネクタ端子３２０は挿入力緩和板３３０の挿通孔を通ってハウジング３１０内部の空間にコンタクト３２１を張り出している。
【００２６】
挿入力緩和板３３０は、板状の成形樹脂に挿通孔を形成し、この挿通孔にコネクタ端子３２０を通し、ハウジング３１０内部の上下面に形成されたダボの間に配置している。挿通孔を通るコネクタ端子３２０は図１に示すように傾斜している部分で、挿通孔の縁に当たっている。
【００２７】
次に、挿入力緩和板３３０の詳細について説明する。図２は、板厚が長手方向に異なる構造の挿入力緩和板３３１を説明する図で、図２（ａ）は右側の端部の厚さが左側の端部に較べて厚く、その厚さの変化はリニアに厚くなるようにしたものである。即ち、右端の板厚をｔ１、左端の板厚をｔ２とするとｔ１＞ｔ２である。挿入力緩和板３３１には、コネクタ端子３２０の配置位置に対応して挿通孔３５０を形成している。
【００２８】
図２（ｂ）の挿入力緩和板３３２は、板厚が長手方向の中央部が厚く、端部を薄くした左右対象の板厚構造である。中央部の板厚をｔ１、端部の板厚をｔ２とするとｔ１＞ｔ２である。挿入力緩和板３３２に形成した挿通孔３５０は、挿入力緩和板３３１の挿通孔と同一のものである。
【００２９】
図３は、板厚を一定として挿通孔の開口寸法を変えた挿入力緩和板３３０を説明する図である。図３（ａ）は、挿通孔３５１を高さ方向の寸法を変化させた挿入力緩和板３３３である。最も高さ方向に大きな挿通孔３５１の高さをｈ１、最も高さ方向に小さな挿通孔３５１の高さをｈ２とするとｈ１＞ｈ２である。そして、高さ方向の寸法の変化は、プラグコネクタを挟む方向に変化させている。この場合の開口寸法の変化は長手方向に対して左右対象としている。
【００３０】
図３（ｂ）は、左端から右端に向かって挿通孔３５２の高さ方向の寸法を大きくなるように変化させた挿入力緩和板３３４を示すものである。このときも、右端の挿通孔３５１の高さをｈ１、左端の挿通孔３５１の高さをｈ２とするとｈ１＞ｈ２である。
【００３１】
図１のレセプタクルコネクタ３００の構造に図２及び図３の挿入力緩和板３３０を配置し、プラグコネクタ２００が挿入されたときのコンタクト３２１の状態を説明する。
【００３２】
図４（ａ）から図４（ｄ）は、それぞれ挿入力緩和板３３１から挿入力緩和板３３４を配置し、プラグコネクタ２００が挿入されそのプラグコネクタ２００の先端が挿入力緩和板３３０に当たった状態におけるコンタクト３２０の位置を、開口面３１１から見たものである。
【００３３】
図４（ａ）は挿入力緩和板３３１が左端から右端に板厚が厚くなっているので、挿通孔３５０に挿通されたコネクタ端子３２０は挿通孔３５０の縁に当たって右端に成るほど浮き上がっている。従って、このプラグコネクタ２００の先端が挿入力緩和板３３０に当たるまでのプラグコネクタ２００の挿入力は、図４（ａ）のコンタクト３２１がプラグコネクタ２００と当っている部分の付勢力に抗したものとなる。即ち、従来構造では全てのコンタクト３２１の付勢力に抗した挿入力が必要となるが、この場合では挿入力は半減されることになる。プラグコネクタ２００の先端が挿入力緩和板３３０に当たった以降、プラグコネクタ２００は更に挿入され挿入力緩和板３３０をダボを越えて奥面に移動させるが（詳細は後述する）、挿入力緩和板３３０の移動によって図４（ａ）の浮き上がっていた右端のコンタクト３２１はプラグコネクタ２００に順次当たるようになり付勢力が働くようになる。既にプラグコネクタ２００に当たっているコンタクト３２１に対しては滑りながら押し込まれることになりこの部分の挿入力は大きなものでなく、新たに発生する付勢力に対してこれに抗する挿入力でよく、結局挿入力が緩和されることになる。プラグコネクタ２００が完全に押し込まれたところで、全てのコンタクト３２１はプラグコネクタ２００と付勢されながら接触していることになる。
【００３４】
図４（ｂ）は挿入力緩和板３３２が中央部で厚くなっているので、挿通孔３５０に挿通されたコネクタ端子３２０は挿通孔３５０の縁に当たって中央部ほど浮き上がっている。この場合もプラグコネクタ２００には最初に右端と左端のコンタクト３２１が当たることになるが、全体のコンタクトの約半分であり挿入力を半減できる。
【００３５】
図４（ｃ）は挿入力緩和板３３２の板厚が一定で、挿通孔３５１の高さ方向の寸法を変えている場合の例である。通ったコネクタ端子３２０の傾斜部分は挿通孔３５１の縁に当たるので高さ方向の寸法の小さい挿通孔３５１を通ったコンタクト３２１は浮き上がるようになる。挿入力緩和板３３２は挿通孔３５１の高さ方向の寸法が大きな箇所が長手方向に２カ所あるようにしているので、コネクタ３２１の位置は図４（ｃ）のようになる。この図の場合では最初にコンタクト３２１がプラグコネクタ２００に当たるのは約２割で挿入力はかなり緩和される。
【００３６】
図４（ｄ）は挿入力緩和板３３２の板厚が一定で、挿通孔３５１の高さ方向の寸法を左端から右端に向かって大きくしている場合の例である。この場合は左端のコンタクト３２１が浮き上がり、これにより挿入力が緩和される。
【００３７】
次に、レセプタクルコネクタ３００にプラグコネクタ２００を挿入した場合の、挿入力緩和板３３０の動きについて説明する。
【００３８】
図５（ａ）は、レセプタクルコネクタ３００にプラグコネクタ２００が挿入される前の状態を示している。この状態で挿入力緩和板３３０はハウジング３１０に形成された上下一対のダボの間に配置されている。
【００３９】
図５（ｂ）は、レセプタクルコネクタ３００にプラグコネクタ２００が挿入され始めた状態で、最初にプラグコネクタ２００（正確にはプラグコネクタ２００の挿入部２２０の端子部２２１）と当たったコンタクト３２１を示している。
【００４０】
図５（ｃ）は、プラグコネクタ２００の挿入が進み、挿入部２２０の先端が挿入力緩和板３３０に当たった位置にある（因みに図４は、この状態のコンタクト３２１の位置を開口面３３１から見たものである）。
【００４１】
図５（ｄ）は、図５（ｃ）から更にプラグコネクタ２００が挿入され、挿入力緩和板３３０がその力でダボを越え、奥面３１２にまで移動した状態を示している。即ち嵌合が行われた状態で、この状態では全てのコンタクト３２１はプラグコンタクト２００の端子部２２１と当接し、電気的接続がなされている。
【００４２】
以上、挿入力緩和板３３０を設けることによりプラグコネクタ２００が挿入された最初の段階ではコンタクト３２１を浮かせて挿入力を緩和し、プラグコネクタ２００を更に挿入を進めていくと挿入力緩和板３３０が移動し浮いていたコンタクト３２１に付勢力が働くことを説明した。この構造によりプラグコンタクト２００の挿入力を緩和できる。
【００４３】
以上の実施例に関し、さらに以下の付記を開示する。
（付記１）
レセプタクルコネクタの挿入力緩和構造であって、
一方の端部近傍にコンタクトを形成し、該コンタクトが挿入されたプラグコネクタの端子部を付勢する方向に屈曲したコネクタ端子と、
板状で長手方向に板厚が異なり、前記コネクタ端子を挿通する挿通孔を列設した挿入力緩和板と、
前記プラグコネクタを挿入する開口面を備え、上下内面または左右内面の何れか、または両方の各面の所定位置にそれぞれ一対のダボを少なくともそれぞれ一カ所に形成したハウジングとを有し、
前記ハウジングは前記コネクタ端子のコンタクトのない一端を前記開口面と対向する奥面で保持し、該コネクタ端子の前記屈曲により傾斜している部分が前記挿通孔の縁に当接するように該コネクタ端子を該挿通孔に挿通した前記挿入力緩和板を前記ダボ間に配置し、
前記ハウジングに配置された前記挿入力緩和板は、前記プラグコネクタが開口面から挿入されたとき該プラグコネクタと当接し、さらなる該プラグコネクタの挿入によって押されて前記ダボを超え、前記奥面の方向に移動する
ことを特徴とするレセプタクルコネクタの挿入力緩和構造。
（付記２）
前記挿入力緩和板は板厚が一定で、前記挿通孔の開口形状の寸法が異なるものである
ことを特徴とする付記１記載のレセプタクルコネクタの挿入力緩和構造。
（付記３）
レセプタクルコネクタにおける挿入力緩和構造のコネクタを搭載したプリント基板であって、
前記コネクタは、
一方の端部近傍にコンタクトを形成し、該コンタクトが挿入されたプラグコネクタの端子部を付勢する方向に屈曲したコネクタ端子と、
板状で長手方向に板厚が異なり、前記コネクタ端子を挿通する挿通孔を列設した挿入力緩和板と、
前記プラグコネクタを挿入する開口面を備え、上下内面または左右内面の何れか、または両方の各面の所定位置にそれぞれ一対のダボを少なくともそれぞれ一カ所に形成したハウジングとを有し、
前記ハウジングは前記コネクタ端子のコンタクトのない一端を前記開口面と対向する奥面で保持し、該コネクタ端子の前記屈曲により傾斜している部分が前記挿通孔の縁に当接するように該コネクタ端子を該挿通孔に挿通した前記挿入力緩和板を前記ダボ間に配置し、
前記ハウジングに配置された前記挿入力緩和板は、前記プラグコネクタが開口面から挿入されたとき該プラグコネクタと当接し、さらなる該プラグコネクタの挿入によって押されて前記ダボを超え、前記奥面の方向に移動する
ことを特徴とする挿入力緩和構造のコネクタを搭載したプリント基板。
（付記４）
レセプタクルコネクタにおける挿入力緩和構造のコネクタを搭載した電子機器であって、
前記コネクタは、
一方の端部近傍にコンタクトを形成し、該コンタクトが挿入されたプラグコネクタの端子部を付勢する方向に屈曲したコネクタ端子と、
板状で長手方向に板厚が異なり、前記コネクタ端子を挿通する挿通孔を列設した挿入力緩和板と、
前記プラグコネクタを挿入する開口面を備え、上下内面または左右内面の何れか、または両方の各面の所定位置にそれぞれ一対のダボを少なくともそれぞれ一カ所に形成したハウジングとを有し、
前記ハウジングは前記コネクタ端子のコンタクトのない一端を前記開口面と対向する奥面で保持し、該コネクタ端子の前記屈曲により傾斜している部分が前記挿通孔の縁に当接するように該コネクタ端子を該挿通孔に挿通した前記挿入力緩和板を前記ダボ間に配置し、
前記ハウジングに配置された前記挿入力緩和板は、前記プラグコネクタが開口面から挿入されたとき該プラグコネクタと当接し、さらなる該プラグコネクタの挿入によって押されて前記ダボを超え、前記奥面の方向に移動する
ことを特徴とする挿入力緩和構造のコネクタを搭載した電子機器。
（付記５）
付記１記載の挿入力緩和構造を備えたレセプタクルコネクタの挿入力緩和方法において、
プラグコネクタを前記レセプタクルコネクタに挿入し、該レセプタクルコネクタに配置された前記挿入力緩和板を移動させて前記コンタクトからの付勢力が該プラグコネクタに順次加わる
ことを特徴とするレセプタクルコネクタの挿入力緩和方法。
（付記６）
前記挿入力緩和板は、長手方向の中央位置を基準として左右の板厚が対象に異なるものである
ことを特徴とする付記１記載のレセプタクルコネクタの挿入力緩和構造。
（付記７）
前記挿入力緩和板は、長手方向の中央位置を基準として左右の挿通孔の開口形状の寸法が対象に異なるものである
ことを特徴とする付記２記載のレセプタクルコネクタの挿入力緩和構造。
【図面の簡単な説明】
【００４４】
【図１】本発明による挿入力緩和構造例である。
【図２】板厚を変えた挿入力緩和板の例である。
【図３】挿通孔の開口サイズを変えた挿入力緩和板の例である。
【図４】挿入力緩和板によるコタクトの位置例である。
【図５】挿入力緩和構造コネクタの嵌合例である。
【図６】従来のベローズタイプコネクタの構造例である。
【符号の説明】
【００４５】
１００    レセプタクルコネクタ
１１０    ハウジング
１１１    開口面
１１２    奥面
１２０    コネクタ端子
１２１    コンタクト
２００    プラグコネクタ
２１０    ハウジング
２２０    挿入部
２２１    端子部
３００    挿入力緩和構造のレセプタクルコネクタ
３１０    ハウジング
３１１    開口面
３１２    奥面
３１３    背面
３１４    ダボ
３１５    ダボ
３１６    ダボ
３１７    ダボ
３２０    コネクタ端子
３２１    コンタクト
３３０    挿入力緩和板
３３１    挿入力緩和板
３３２    挿入力緩和板
３３３    挿入力緩和板
３３４    挿入力緩和板
３５０    挿通孔
３５１    挿通孔
３５２    挿通孔
【図１】
2007324057.tif 000003
【図２】
2007324057.tif 000004
【図３】
2007324057.tif 000005
【図４】
2007324057.tif 000006
【図５】
2007324057.tif 000007
【図６】
2007324057.tif 000008